(57)【要約】  薬剤を頻繁に点眼することなくアレルギー症状を低減化させることが出来るソフトコンタクトレンズ用溶液及びその製造方法を提供すること。  アレルゲン失活成分として、ポリフェノールを、水性媒体中に含有せしめてなるソフトコンタクトレンズ用溶液に、ソフトコンタクトレンズを接触せしめ、かかるソフトコンタクトレンズ中に、アレルゲン失活成分を取り込ませるように構成した。【特許請求の範囲】
【請求項１】
アレルゲン失活成分として、ポリフェノールを、水性媒体中に含有せしめてなることを特徴とするソフトコンタクトレンズ用溶液。
【請求項２】
前記ポリフェノールが、カテキン類又はタンニン酸であることを特徴とする請求項１に記載のソフトコンタクトレンズ用溶液。
【請求項３】
前記ポリフェノールの含有量が、０．００１〜１０％であることを特徴とする請求項１又は請求項２に記載のソフトコンタクトレンズ用溶液。
【請求項４】
前記ソフトコンタクトレンズが、イオン性ソフトコンタクトレンズであることを特徴とする請求項１乃至請求項３の何れか一つに記載のソフトコンタクトレンズ用溶液。
【請求項５】
マルチパーパスソリューション、保存液又は流通保存液として、用いられることを特徴とする請求項１乃至請求項４の何れか一つに記載のソフトコンタクトレンズ用溶液。
【請求項６】
薬剤徐放可能なソフトコンタクトレンズを製造する方法にして、
ａ）アレルゲン失活成分としてポリフェノールを含有する水性液剤を準備する工程と、      
ｂ）該水性液剤にソフトコンタクトレンズを接触せしめ、該ソフトコンタクトレンズ中      に、前記アレルゲン失活成分を取り込ませる工程とを、
含むことを特徴とする製造方法。
【請求項７】
前記ポリフェノールが、カテキン類又はタンニン酸であることを特徴とする請求項６に記載の薬剤徐放可能なソフトコンタクトレンズの製造方法。
【請求項８】
前記ポリフェノールの含有量が、０．００１〜１０％であることを特徴とする請求項６又は請求項７に記載の薬剤徐放可能なソフトコンタクトレンズの製造方法。
【請求項９】
前記ソフトコンタクトレンズが、イオン性ソフトコンタクトレンズであることを特徴とする請求項６乃至請求項８の何れか一つに記載の薬剤徐放可能なソフトコンタクトレンズの製造方法。
【請求項１０】
請求項６乃至請求項９の何れか一つに記載の製造方法によって製造された、ソフトコンタクトレンズ内にアレルゲン失活成分としてのポリフェノールが含侵せしめられていることを特徴とする薬剤徐放性ソフトコンタクトレンズ。
【発明の詳細な説明】
【技術分野】
【０００１】
本発明は、ソフトコンタクトレンズ用溶液及びそれを用いて得られる薬剤徐放性ソフトコンタクトレンズ並びにその製造方法に係り、特に、アレルゲン低減化成分乃至はアレルゲン失活成分として、ポリフェノールを含有するソフトコンタクトレンズ用溶液に関するものである。
【背景技術】
【０００２】
従来から、コンタクトレンズを日常的に装用している人においては、アレルギー性結膜炎等のアレルギー性の眼疾患の発症率が、花粉等のアレルゲンがコンタクトレンズに付着し、レンズ上に留まることにより、コンタクトレンズを日常的に装用していない人と比べて、高くなると考えられてきている。【０００３】
ところで、近年、ポリフェノールは、花粉、ハウスダスト、ダニ、真菌、ペットの毛等の環境中のアレルゲンに対して、アレルゲン低減化効果乃至はアレルゲン失活効果を有することが知られてきている。【０００４】
このような、ポリフェノールのアレルゲン失活効果を利用した技術としては、例えば、特許文献１には、環境からダニ等のアレルゲンを除去するために、ポリフェノールの一種であるタンニン酸と特定の溶剤を含有した組成物を、液体、スプレー、エアゾル等の形態で壁、床、衣類等に対して使用することが明らかにされている。また、特許文献２には、有機溶剤、タンニン酸などのポリフェノール類、ハイドロキシアパタイト、カチオン性界面活性剤からなる群より選ばれる少なくとも１種以上の成分を有効成分とするアレルゲン除去剤、及び、このアレルゲン除去剤を、空間に微粒子状に噴霧するか、アレルゲン付着物に直接噴霧・塗布するか、容器内で単体に保持させ、アレルゲンを含有する空気を通過させて捕集することにより、アレルゲンを除去する方法が、明らかにされている。さらに、特許文献３には、タンニン酸、カテキン等の芳香族ヒドロキシ化合物をアレルゲン失活成分として使用する畳用清拭シートが、明らかにされている。【０００５】
しかしながら、上述の特許文献１〜３等のように、従来からのポリフェノールのアレルゲン失活効果を利用した薬剤は、かかる薬剤を布や紙に浸透させたものを用いてアレルゲンを拭き取る形態のものや、かかる薬剤をスプレーにて衣服等に噴霧して使用する形態のものであるところから、それをそのまま眼用には適用出来ないものであった。【０００６】
一方、そのようなアレルギー症状を低減化乃至は緩和させるための、抗アレルギー薬としては、例えば、特許文献４に、コンタクトレンズ装用中の眼に対しても適用可能なものとして、トラニラスト等の抗アレルギー薬が、明らかにされている。【０００７】
しかしながら、かかるトラニラスト等の抗アレルギー薬は、一般に、刺激が強く（眼にしみる）、また、その殆どが、１日に４〜６回程度もの点眼を要するものであり、点眼回数が多く、非常に面倒なものであったのである。更に、そのような抗アレルギー薬は、かかる薬剤が体内に吸収されて、その作用を発揮するものであるため、人によってその効果が異なるものであり、更に、副作用等の問題もあるものであった。【０００８】
【特許文献１】特開昭６１−４４８２１号公報
【特許文献２】特開２０００−２６４８３７号公報
【特許文献３】特開２００３−７９５５４号公報
【特許文献４】特開２００３−８１８４０号公報
【発明の開示】
【発明が解決しようとする課題】
【０００９】
ここにおいて、本発明は、かくの如き事情を背景にして為されたものであって、その解決課題とするところは、眼に対する刺激の少ないソフトコンタクトレンズ用溶液を提供することにある。また、薬剤を頻繁に点眼することなくアレルギー症状を低減化させることが出来るソフトコンタクトレンズの製造方法を提供することをも、その解決課題としている。
【課題を解決するための手段】
【００１０】
そして、本発明者等は、そのような課題を解決すべく、鋭意検討を重ねた結果、アレルゲン失活成分として、ポリフェノールを使用することにより、眼に刺激を与えず、眼にしみることのない、アレルゲン失活成分を含有するソフトコンタクトレンズ用溶液を得ることが出来ることを見いだしたのである。また、ソフトコンタクトレンズを適当に選択して、かかるコンタクトレンズ中に前記アレルゲン失活成分を取り込ませることにより、かかるアレルゲン失活成分を徐放するソフトコンタクトレンズを有利に得ることが出来ることを見いだしたのである。【００１１】
従って、本発明は、かかる知見に基づいて完成されたものであって、上記した課題又は明細書全体の記載から把握される課題を解決するために、以下に列挙せる如き各種の態様において、好適に実施され得るものであるが、また、以下に記載の各態様は、任意の組み合わせにおいても、採用可能である。なお、本発明の態様乃至は技術的特徴は、以下に記載のものに何等限定されることなく、明細書全体の記載乃至はそこに開示の発明思想に基づいて、認識され得るものであることが、理解されるべきである。【００１２】
（１）  アレルゲン失活成分として、ポリフェノールを、水性媒体中に含有せしめてなることを特徴とするソフトコンタクトレンズ用溶液。【００１３】
（２）  前記ポリフェノールが、カテキン類又はタンニン酸であることを特徴とする上記態様（１）に記載のソフトコンタクトレンズ用溶液。【００１４】
（３）  前記ポリフェノールの含有量が、０．００１〜１０％であることを特徴とする上記態様（１）又は（２）に記載のソフトコンタクトレンズ用溶液。【００１５】
（４）  前記ソフトコンタクトレンズが、イオン性ソフトコンタクトレンズであることを特徴とする上記態様（１）乃至（３）の何れか一つに記載のソフトコンタクトレンズ用溶液。【００１６】
（５）  マルチパーパスソリューション、保存液又は流通保存液として、用いられることを特徴とする上記態様（１）乃至（４）の何れか一つに記載のソフトコンタクトレンズ用溶液。【００１７】
（６）  薬剤徐放可能なソフトコンタクトレンズを製造する方法にして、
ａ）アレルゲン失活成分としてポリフェノールを含有する水性液剤を準備する工程と、      
ｂ）該水性液剤にソフトコンタクトレンズを接触せしめ、該ソフトコンタクトレンズ中      に、前記アレルゲン失活成分を取り込ませる工程とを、
含むことを特徴とする製造方法。【００１８】
（７）  前記ポリフェノールが、カテキン類又はタンニン酸であることを特徴とする上記態様（６）に記載の薬剤徐放可能なソフトコンタクトレンズの製造方法。【００１９】
（８）  前記ポリフェノールの含有量が、０．００１〜１０％であることを特徴とする上記態様（６）又は（７）に記載の薬剤徐放可能なソフトコンタクトレンズの製造方法。【００２０】
（９）  前記ソフトコンタクトレンズが、イオン性ソフトコンタクトレンズであることを特徴とする上記態様（６）乃至（８）の何れか一つに記載の薬剤徐放可能なソフトコンタクトレンズの製造方法。【００２１】
（１０）  上記態様（６）乃至（９）の何れか一つに記載の製造方法によって製造された、ソフトコンタクトレンズ内にアレルゲン失活成分としてのポリフェノールが含侵せしめられていることを特徴とする薬剤徐放性ソフトコンタクトレンズ。
【発明の効果】
【００２２】
従って、このような本発明に従うソフトコンタクトレンズ用溶液によれば、アレルゲン失活成分として、ポリフェノールを用いていることにより、点眼時に薬剤が眼にしみる等、眼に対しての刺激の少ないソフトコンタクトレンズ用溶液を、有利に得ることが出来るのである。【００２３】
また、適用するコンタクトレンズとしてソフトコンタクトレンズを選択し、かかるソフトコンタクトレンズ中にアレルゲン失活成分を取り込ませるようにすることにより、かかるアレルゲン失活成分を眼の中で少しずつ連続的に放出せしめることが出来、以て、薬剤を頻繁に点眼することなく、少ない点眼回数で有利にアレルギー症状を低減化し得ることとなる。
【発明を実施するための最良の形態】
【００２４】
ところで、本発明に従うソフトコンタクトレンズ用溶液は、アレルゲン低減化成分乃至はアレルゲン失活成分として、ポリフェノールを、水性媒体中に含有せしめてなるものであるが、そこで用いられるポリフェノールとしては、従来より公知のものが何れも採用可能であって、例えば、フラボノイド系のポリフェノールとして、フラボン類、フラボノール類、イソフラボン類、フラバン類、フラバノール類、フラバノン類、フラバノノール類、カルコン類、アントシアニジン類等、フェニルカルボン酸系のポリフェノール等を、例示することが出来る。そして、それらの中でも、特に、フラボノイド系ポリフェノールの一種である、フラバノール類のうち、カテキン類及びフェニルカルボン酸系ポリフェノールの一種であるタンニン酸が、好ましく用いられることとなる。【００２５】
また、上で指摘のカテキン類として、更に具体的には、カテキン、エピカテキン、エピガロカテキン、エピカテキンガレート、エピガロカテキンガレート及びこれらのメチル化誘導体、茶抽出物（甜茶も含む）、また茶以外の植物抽出成分として、柿（実、葉、木）、竹、くま笹、シソ、バラ、クチナシ実、イチョウ、アロエ、ローズマリー等を挙げることが出来るが、これら例示のものに、何等限定されるものでないことは言うまでもないところである。なお、それら化合物は、それぞれ単独で、或いは二種以上を組み合わせて、用いることが可能である。【００２６】
そして、上述したようなポリフェノールを、アレルゲン失活成分として使用することによって、かかるアレルゲン失活成分を点眼したときに、レンズ上の花粉等のアレルゲンを有利に低減化乃至は失活せしめることが出来、また点眼時に、薬剤が眼にしみる等、眼に対しての刺激を有利に抑えることの出来るコンタクトレンズ用溶液とすることが出来るのである。なお、かかるポリフェノールは、比較的入手が容易であり、また安全性及び安定性にも優れているといった利点をも有している。【００２７】
ここで、かかるポリフェノールは、アレルゲンの失活に有効な量において適宜に用いられ得るものであるが、一般には、重量基準にて、０．００１〜１０％の含有量において、好ましくは０．１〜５％の含有量にて用いられることとなる。かかる含有量よりも少なくなると、ポリフェノールを含有せしめることによるアレルゲンの失活化効果が充分に発揮され得なくなる恐れがあるからであり、また上記した範囲よりも多くなると、特にポリフェノールとしてカテキンを用いた場合に、かかるソフトコンタクトレンズ用溶液に接触せしめられるレンズに着色等の問題が惹起される恐れがあるからである。【００２８】
そして、本発明に従うコンタクトレンズ用溶液は、上述の如き成分を、従来と同様にして、適当な水性媒体中に、添加、含有せしめることにより、調製されることとなるのであるが、それに際して用いられる水性媒体としては、水道水や精製水、蒸留水等の水そのものの他にも、水を主体とする溶液であれば、生体への安全性が高く、尚且つ眼科的に充分に許容され得るものである限りにおいて、何れも、利用することが可能である。【００２９】
また、本発明においては、上述のようなアレルゲン失活成分として、ポリフェノールが、水性媒体中に含有せしめられてなる溶液を、ソフトコンタクトレンズ用溶液として用いるものであるが、そのような溶液の適用対象となるソフトコンタクトレンズは、公知の各種のソフトコンタクトレンズであって、例えば、非イオン性ソフトコンタクトレンズとしては、酢酸ビニル系、ＤＭＡＡ系等のソフトコンタクトレンズを挙げることが出来、またイオン性ソフトコンタクトレンズとしては、カルボキシル基の如きイオン性基が導入された、ＨＥＭＡ系、Ｎ−ＶＰ系、ＭＡＡ系等のものを挙げることが出来る。【００３０】
特に、それらソフトコンタクトレンズの中でも、有利には、イオン性ソフトコンタクトレンズが、対象とされることとなる。そのようなイオン性ソフトコンタクトレンズとしては、上述したような、例えば、ＨＥＭＡ（ヒドロキシルエチルメタクリレート）系やＮ−ＶＰ（Ｎ−ビニル−２−ピロリドン）系、ＭＡＡ（メタクリル酸）系のものを挙げることが出来る。更に、それらの中でも、含水率が５０％以上のイオン性高含水ソフトコンタクトレンズが、有利に対象とされるのである。【００３１】
このように、アレルゲン失活成分を含有してなる溶液を、ソフトコンタクトレンズ用の溶液とすることによって、そのようなアレルゲン失活成分が、レンズに接触した際に、かかるレンズ内に有利に取り込まれることとなり、従って、その取り込まれたアレルゲン失活成分が、眼上で少しずつ連続的に長時間に亘って放出されるようになり、以て、新たにアレルゲンがレンズ上に付着したりした場合にあっても、新たにアレルゲン失活成分を点眼する必要がないところから、少ない点眼回数で、有利にアレルギー症状を低減化乃至は緩和し得ることとなるのである。【００３２】
さらに、本発明においては、かかるソフトコンタクトレンズとして、イオン性ソフトコンタクトレンズを適用することにより、アレルゲン失活成分含有溶液がイオン性ソフトコンタクトレンズに接触したときに、かかるレンズのポリフェノール（特に、カテキン類）による着色、及びサイズの変化等の影響を、有利に回避することが出来るのである。この理由は未だ充分に明らかではないが、カテキン（ポリフェノール）はわずかに水に溶けるが、基本的には疎水性の高い物質であるために、非イオン性のソフトコンタクトレンズの場合、かかる非イオン性のレンズとカテキン（ポリフェノール）が疎水性相互作用することにより、レンズにカテキン（ポリフェノール）が凝集し、かかるレンズの着色及びサイズの変化等が惹起されるためであると考えられている。【００３３】
加えて、本発明に従うソフトコンタクトレンズ用溶液においては、上述の如き成分の他にも、更に必要に応じて、従来より、コンタクトレンズ用溶液に用いられている各種の添加成分、例えば、粘稠化剤、ｐＨ緩衝剤、キレート化剤、清涼化剤、界面活性剤、浸透圧調整剤、血管収縮剤、ビタミン類、消炎剤及び嬌味剤等のうちの１種乃至は２種以上が適宜に選択されて、通常の含有割合において含有せしめられていても、何等、差支えない。尤も、そのような添加成分（添加剤）としては、生体への安全性が高く、尚且つ眼科的に許容され、しかもコンタクトレンズの形状や物性に対して影響のないものが、有利に選択されることとなる。【００３４】
なお、本発明におけるソフトコンタクトレンズ用溶液は、従来から公知の各種の態様においてソフトコンタクトレンズに対して適用され得るものであるが、一般に、ソフトコンタクトレンズを装用した眼に対する点眼液として用いられる他、装着液、洗眼液、マルチパーパスソリューション、保存液又は流通保存液としても、用いられ、それら液剤中に、ソフトコンタクトレンズが浸漬せしめられることによって、より一層有利に、本発明の効果が奏され得ることとなる。なお、ここで、マルチパーパスソリューションとは、コンタクトレンズの洗浄、すすぎ、消毒、保存のうち少なくとも２つ以上を１液で行なうことが出来る液剤を意味している。また、本発明のソフトコンタクトレンズ用溶液を流通保存液として、使い捨てコンタクトレンズに対して用いることによって、清潔な状態の薬剤徐放可能な使い捨てソフトコンタクトレンズが容易に得られることとなり、以て、有利に、本発明の効果が奏され得ることとなる。【００３５】
そして、本発明においては、上記したソフトコンタクトレンズ用溶液を用いて、薬剤徐放可能なソフトコンタクトレンズを製造するために、アレルゲン失活成分としてポリフェノールを含有する水性液剤を準備する工程と、かかる水性液剤にソフトコンタクトレンズを接触せしめ、かかるソフトコンタクトレンズ中にアレルゲン失活成分を取り込ませる工程とを含む製造方法が、採用されるのである。【００３６】
ここで、上記のソフトコンタクトレンズ中にアレルゲン失活成分を取り込ませる工程においては、ソフトコンタクトレンズが、水性液剤中に浸漬されたり、水性液剤を付着せしめたりすることによって、水性液剤に接触させられることとなるが、そのような工程は、有利には、３０分〜１６時間程度を要して実施されることとなる。かかる時間よりも短くなると、そのようにして製造された薬剤徐放可能なソフトコンタクトレンズのアレルゲン失活成分の取り込み量が充分でなくなる恐れがあり、従って、ソフトコンタクトレンズの徐放性の効果が有利に享受出来ない恐れがある。また、上記した時間よりも長い場合には、アレルゲン失活成分のレンズへの取り込み量が飽和に達し、かかる時間以上浸漬することによる効果が得られない恐れがある。【００３７】
また、上述した理由と同様な理由により、有利には、かかるポリフェノールとして、カテキン類又はタンニン酸が用いられ、更に、かかるポリフェノールの含有量は、一般に０．００１〜１０％であり、加えて、かかるソフトコンタクトレンズとしては、有利には、イオン性ソフトコンタクトレンズが対象とされるのである。【００３８】
このように、アレルゲン失活成分としてポリフェノールを含有する水性液剤にソフトコンタクトレンズを接触せしめ、かかるソフトコンタクトレンズ中にアレルゲン失活成分を取り込ませるようにすることによって、薬剤徐放可能なソフトコンタクトレンズを有利に得ることが可能となるのである。【００３９】
そして、上述のような方法に従って製造された、ソフトコンタクトレンズ内にアレルゲン失活成分としてのポリフェノールが含浸せしめられてなるものは、薬剤徐放性ソフトコンタクトレンズとして、有利に機能するのである。【００４０】
すなわち、そこでは、アレルゲン失活成分として、ポリフェノールが用いられているところから、点眼時に眼にしみる等、眼に対しての刺激を有利に抑えることが可能なソフトコンタクトレンズ用溶液を有利に得ることが出来ることとなる。また、ソフトコンタクトレンズ内にアレルゲン失活成分が含浸せしめられている薬剤徐放性ソフトコンタクトレンズとすることによって、かかるレンズを眼に装着したときに、眼上において、レンズ中に取り込まれたアレルゲン失活成分を徐放することが出来、換言すればかかるアレルゲン失活成分を少しずつ連続的に放出せしめることが出来るのである。【００４１】
従って、アレルゲン失活成分が、かかるソフトコンタクトレンズから、連続的に、長時間、眼上で放出されるところから、アレルゲン低減化効果乃至は失活化効果を有利に長く享受することが可能となるのであり、以て、薬剤を頻繁に点眼することなく、少ない点眼回数で、有利にアレルギー症状を低減化乃至は緩和せしめることが可能となるのである。
【実施例】
【００４２】
以下に、本発明の幾つかの実施例を示し、本発明を更に具体的に明らかにすることとするが、本発明が、そのような実施例の記載によって、何等の制約をも受けるものでないことは、言うまでもないところである。また、本発明には、以下の実施例の他にも、本発明の趣旨を逸脱しない限りにおいて、当業者の知識に基づいて、種々なる変更、修正、改良等を加え得るものであることが、理解されるべきである。【００４３】
先ず、本発明で用いられるアレルゲン失活成分の、スギ花粉抗原に対する有効性及びスギ花粉に対する有効性を、ＥＬＩＳＡ法（実施例１〜３０、比較例１〜５）によって評価し、その結果を、下記表１〜９に示した。さらに、フローサイトメトリー（ＦＣＭ）法（実施例３１〜３５、比較例６〜１１）によって評価した結果を、下記表１０に示した。なお、評価は、蛍光発光率（活性率）が０％以上４５％以下の場合を○、４５％超のものを×として、行った。【００４４】
−実施例１−
９６穴プレートに、スギ花粉抗原Ｃｒｙｊ１に対する固相用抗体を固定化し、そこに、エピカテキン（ＥＣ）：約７％、エピカテキンガレート（ＥＣＧ）：約１２％、エピガロカテキン（ＥＧＣ）：約２５％、エピガロカテキンガレート（ＥＧＣＧ）：残部からなるカテキン混合物（以下、同じ）の０．１ｗ/ｖ％ウシ血清アルブミン含有 Phosphate-Buffered Salts 溶液（以下、０．１％ＢＳＡ含有ＰＢＳ溶液と略称する）とスギ花粉抗原Ｃｒｙｊ１の０．１％ＢＳＡ含有ＰＢＳ溶液との混合溶液を添加した後、蛍光標識抗体としてペルオキシダーゼラベル化抗Ｃｒｙｊ１抗体を添加して、４９０ｎｍにおける吸光度を測定し、蛍光発光率を求めた。カテキン混合物及びＥＬＩＳＡ試験に用いた試薬の濃度並びに求めた蛍光発光効率を、下記表１に示す。【００４５】
−実施例２，３−
カテキン混合物の濃度を、下記表１に示す濃度とした以外は、実施例１と同様にして、ＥＬＩＳＡ試験を行い、蛍光発光率を求めた。その結果を、下記表１に併せて示す。【００４６】
−比較例１−
９６穴プレートに、スギ花粉抗原Ｃｒｙｊ１に対する固相用抗体を固定化し、そこに、０．１％ＢＳＡ含有ＰＢＳ溶液を添加した後、蛍光標識抗体としてペルオキシダーゼラベル化抗Ｃｒｙｊ１抗体を添加して、４９０ｎｍにおける吸光度を測定し、蛍光発光率を求めた。カテキン混合物及びＥＬＩＳＡ試験に用いた試薬の濃度並びに求めた蛍光発光効率を、下記表１に示す。【００４７】
−比較例２−
９６穴プレートに、スギ花粉抗原Ｃｒｙｊ１に対する固相用抗体を固定化し、そこに、スギ花粉抗原Ｃｒｙｊ１の０．１％ＢＳＡ含有ＰＢＳ溶液を添加した後、蛍光標識抗体としてペルオキシダーゼラベル化抗Ｃｒｙｊ１抗体を添加して、４９０ｎｍにおける吸光度を測定し、蛍光発光率を求めた。カテキン混合物及びＥＬＩＳＡ試験に用いた試薬の濃度並びに求めた蛍光発光効率を、下記表１に示す。【００４８】
−実施例４，５−
カテキン混合物の濃度及びスギ花粉抗原Ｃｒｙｊ１濃度を、下記表１に示す濃度とした以外は、実施例１と同様にして、ＥＬＩＳＡ試験を行い、蛍光発光率を求めた。その結果を、下記表１に併せて示す。【００４９】
−比較例３−
スギ花粉抗原Ｃｒｙｊ１濃度を、下記表１に示す濃度とした以外は、比較例２と同様にして、ＥＬＩＳＡ試験を行い、蛍光発光率を求めた。その結果を、下記表１に併せて示す。【００５０】
【表１】
2007125731.tif 000002
【００５１】
−実施例６−
カテキン混合物に代えて、タンニン酸を用いた以外は、実施例１と同様にして、ＥＬＩＳＡ試験を行い、蛍光発光率を求めた。タンニン酸及びＥＬＩＳＡ試験に用いた試薬の濃度並びに求めた蛍光発光効率を、下記表２に示す。【００５２】
−実施例７，８−
タンニン酸濃度を、下記表２に示す濃度とした以外は、実施例６と同様にして、ＥＬＩＳＡ試験を行い、蛍光発光率を求めた。その結果を、下記表２に併せて示す。【００５３】
【表２】
2007125731.tif 000003
【００５４】
−実施例９−
カテキン混合物に代えて、エピガロカテキン−３”−Ｏ−メチル（以下、ＥＧＣＧ−Ｍｅと略称する）を用いた以外は、実施例２と同様にして、ＥＬＩＳＡ試験を行い、蛍光発光率を求めた。ＥＧＣＧ−Ｍｅ及びＥＬＩＳＡ試験に用いた試薬の濃度並びに求めた蛍光発光効率を、下記表３に示す。【００５５】
−実施例１０−
ＥＧＣＧ−Ｍｅ濃度を、下記表３に示す濃度とした以外は、実施例９と同様にして、ＥＬＩＳＡ試験を行い、蛍光発光率を求めた。その結果を、下記表３に併せて示す。【００５６】
【表３】
2007125731.tif 000004
【００５７】
−実施例１１−
カテキン混合物に代えて、エピガロカテキンガレート（以下、ＥＧＣＧと略称する）を用いた以外は、実施例１と同様にして、ＥＬＩＳＡ試験を行い、蛍光発光率を求めた。ＥＧＣＧ及びＥＬＩＳＡ試験に用いた試薬の濃度並びに求めた蛍光発光効率を、下記表４に示す。【００５８】
−実施例１２，１３−
ＥＧＣＧ濃度を、下記表４に示す濃度とした以外は、実施例１１と同様にして、ＥＬＩＳＡ試験を行い、蛍光発光率を求めた。その結果を、下記表４に併せて示す。【００５９】
【表４】
2007125731.tif 000005
【００６０】
−実施例１４−
カテキン混合物に代えて、カテキンガレート（以下、ＣＧと略称する）を用いた以外は、実施例１と同様にして、ＥＬＩＳＡ試験を行い、蛍光発光率を求めた。ＣＧ及びＥＬＩＳＡ試験に用いた試薬の濃度並びに求めた蛍光発光効率を、下記表５に示す。【００６１】
−実施例１５，１６−
ＣＧ濃度を、下記表５に示す濃度とした以外は、実施例１４と同様にして、ＥＬＩＳＡ試験を行い、蛍光発光率を求めた。その結果を、下記表５に併せて示す。【００６２】
【表５】
2007125731.tif 000006
【００６３】
−実施例１７−
カテキン混合物に代えて、エピカテキンガレート（以下、ＥＣＧと略称する）を用いた以外は、実施例１と同様にして、ＥＬＩＳＡ試験を行い、蛍光発光率を求めた。ＥＣＧ及びＥＬＩＳＡ試験に用いた試薬の濃度並びに求めた蛍光発光効率を、下記表６に示す。【００６４】
−実施例１８−
ＥＣＧ濃度を、下記表６に示す濃度とした以外は、実施例１７と同様にして、ＥＬＩＳＡ試験を行い、蛍光発光率を求めた。その結果を、下記表６に併せて示す。【００６５】
【表６】
2007125731.tif 000007
【００６６】
−実施例１９−
９６穴プレートに、スギ花粉抗原Ｃｒｙｊ２に対する固相用抗体を固定化し、そこに、カテキン混合物の０．１％ＢＳＡ含有ＰＢＳ溶液とスギ花粉抗原Ｃｒｙｊ２の０．１％ＢＳＡ含有ＰＢＳ溶液との混合溶液を添加した後、蛍光標識抗体としてペルオキシダーゼラベル化抗Ｃｒｙｊ２抗体を添加して、４９０ｎｍにおける吸光度を測定し、蛍光発光率を求めた。カテキン混合物及びＥＬＩＳＡ試験に用いた試薬の濃度並びに求めた蛍光発光効率を、下記表７に示す。【００６７】
−実施例２０〜２２−
カテキン混合物の濃度を、下記表７に示す濃度とした以外は、実施例１９と同様にして、ＥＬＩＳＡ試験を行い、蛍光発光率を求めた。その結果を、下記表７に併せて示す。【００６８】
−比較例４−
９６穴プレートに、スギ花粉抗原Ｃｒｙｊ２に対する固相用抗体を固定化し、そこに、０．１％ＢＳＡ含有ＰＢＳ溶液を添加した後、蛍光標識抗体としてペルオキシダーゼラベル化抗Ｃｒｙｊ２抗体を添加して、４９０ｎｍにおける吸光度を測定し、蛍光発光率を求めた。カテキン混合物及びＥＬＩＳＡ試験に用いた試薬の濃度並びに求めた蛍光発光効率を、下記表７に示す。【００６９】
−比較例５−
９６穴プレートに、スギ花粉抗原Ｃｒｙｊ２に対する固相用抗体を固定化し、そこに、スギ花粉抗原Ｃｒｙｊ２の０．１％ＢＳＡ含有ＰＢＳ溶液を添加した後、蛍光標識抗体としてペルオキシダーゼラベル化抗Ｃｒｙｊ２抗体を添加して、４９０ｎｍにおける吸光度を測定し、蛍光発光率を求めた。カテキン混合物及びＥＬＩＳＡ試験に用いた試薬の濃度並びに求めた蛍光発光効率を、下記表７に示す。【００７０】
【表７】
2007125731.tif 000008
【００７１】
−実施例２３−
カテキン混合物に代えて、エピガロカテキンガレート（ＥＧＣＧ）を用いた以外は、実施例１９と同様にして、ＥＬＩＳＡ試験を行い、蛍光発光率を求めた。ＥＧＣＧ及びＥＬＩＳＡ試験に用いた試薬の濃度並びに求めた蛍光発光効率を、下記表８に示す。【００７２】
−実施例２４〜２６−
ＥＧＣＧ濃度を、下記表８に示す濃度とした以外は、実施例２３と同様にして、ＥＬＩＳＡ試験を行い、蛍光発光率を求めた。その結果を、下記表８に併せて示す。【００７３】
【表８】
2007125731.tif 000009
【００７４】
−実施例２７−
カテキン混合物に代えて、タンニン酸を用いた以外は、実施例１９と同様にして、ＥＬＩＳＡ試験を行い、蛍光発光率を求めた。タンニン酸及びＥＬＩＳＡ試験に用いた試薬の濃度並びに求めた蛍光発光効率を、下記表９に示す。【００７５】
−実施例２８〜３０−
ＥＧＣＧ濃度を、下記表９に示す濃度とした以外は、実施例２７と同様にして、ＥＬＩＳＡ試験を行い、蛍光発光率を求めた。その結果を、下記表９に併せて示す。【００７６】
【表９】
2007125731.tif 000010
【００７７】
−実施例３１−
スギ花粉に、カテキン混合物の０．１％ＢＳＡ含有Pollen-Sorting Buffer と抗Ｃｒｙｊ１抗体との混合物を添加した後、抗体を認識する蛍光標識抗体（ＦＩＴＣラベル抗体）として、ＦＩＴＣラベル抗マウスＩｇＧ抗体を添加して、４８８ｎｍのアルゴンレーザーを照射し、蛍光波長：５２５ｎｍ（励起波長：４９５ｎｍ）における蛍光強度を測定し、蛍光発光率を求めた。カテキン混合物及びフローサイトメトリー試験に用いた試薬の濃度並びに求めた蛍光発光効率を、下記表１０に示す。【００７８】
−実施例３２−
カテキン混合物の濃度を、下記表１０に示す濃度とした以外は、実施例３１と同様にして、フローサイトメトリー試験を行い、蛍光発光率を求めた。その結果を、下記表１０に併せて示す。【００７９】
−比較例６−
スギ花粉に、バッファ溶液を添加した後、抗体を認識する蛍光標識抗体（ＦＩＴＣラベル抗体）として、ＦＩＴＣラベル抗マウスＩｇＧ抗体を添加して、４８８ｎｍのアルゴンレーザーを照射し、蛍光波長：５２５ｎｍ（励起波長：４９５ｎｍ）における蛍光強度を測定し、蛍光発光率を求めた。フローサイトメトリー試験に用いた試薬の濃度並びに求めた蛍光発光効率を、下記表１０に示す。【００８０】
−比較例７‐
スギ花粉に、抗Ｃｒｙｊ１抗体を添加した後、抗体を認識する蛍光標識抗体（ＦＩＴＣラベル抗体）として、ＦＩＴＣラベル抗マウスＩｇＧ抗体を添加して、５２５ｎｍにおける蛍光強度を測定し、蛍光発光率を求めた。フローサイトメトリー試験に用いた試薬の濃度並びに求めた蛍光発光効率を、下記表１０に示す。【００８１】
−実施例３３，３４、比較例８，９−
抗Ｃｒｙｊ１抗体に代えて、抗Ｃｒｙｊ２抗体を使用した以外は、実施例３１，３２、比較例６，７と同様にして、フローサイトメトリー試験を行い、蛍光発光率を求めた。その結果を、下記表１０に併せて示す。【００８２】
−実施例３５−
カテキン混合物の濃度及びスギ花粉量を、下記表１０に示す濃度とした以外は、実施例３１と同様にして、フローサイトメトリー試験を行い、蛍光発光率を求めた。その結果を、下記表１０に併せて示す。【００８３】
−比較例１０，１１−
スギ花粉量を、下記表１０に示す濃度とした以外は、比較例６，７と同様にして、フローサイトメトリー試験を行い、蛍光発光率を求めた。その結果を、下記表１０に併せて示す。
【表１０】
2007125731.tif 000011
【００８４】
上記表１〜表１０の結果から明らかな如く、本発明に従うソフトコンタクトレンズ用溶液において、アレルゲン失活成分として用いられるポリフェノールは、スギ花粉抗原Ｃｒｙｊ１及びスギ花粉のアレルゲンを効果的に失活せしめ、以て、そのような花粉等のアレルゲンが、レンズに付着した場合であっても、有利にそれを失活せしめ、以て、そのようなアレルゲンによって惹起されるアレルギー症状を、効果的に低減化乃至は緩和せしめることが可能となるのである。【００８５】
また、本発明で用いられるアレルゲン失活成分の放出試験を行い（実施例３６〜４０）、その結果を、下記表１１に示した。更に、アレルゲン失活成分としてのポリフェノールによるレンズの着色性及びサイズ変化についての検討も併せて行った。【００８６】
−実施例３６−
ヒドロキシル基を有するＨＥＭＡ系イオン性高含水ソフトコンタクトレンズ（含水率：５５％）を、下記表１１に示す各種濃度のカテキン混合物の水溶液中に１６時間浸漬した後、０．９重量％の生理食塩水に浸漬して、放出されるカテキン混合物の量を、経時的に測定した。そして、得られた４時間後の放出されたカテキン混合物の濃度及び放出率を、下記表１１に併せて示す。また、各種濃度におけるカテキン混合物によるレンズの着色性及びレンズのサイズ変化についても、確認した。【００８７】
−実施例３７−
ＨＥＭＡ系イオン性高含水ソフトコンタクトレンズに代えて、ＤＭＡＡ（Ｎ，Ｎ−ジメチルアクリルアミド）系の非イオン性高含水ソフトコンタクトレンズ（含水率：７２％）を用いる以外は、実施例３６と同様にして、放出されるカテキン混合物の量を、経時的に測定した。そして、得られた４時間後の放出カテキン混合物の濃度及び放出率を、下記表１１に併せて示す。また、各種濃度におけるカテキン混合物によるレンズの着色性及びレンズのサイズ変化についても、確認した。【００８８】
−実施例３８−
カテキン混合物の水溶液に代えて、エピガロカテキンガレート（ＥＧＣＧ）水溶液を用いる以外は、実施例３６と同様にして、放出されるＥＧＣＧ量を、経時的に測定した。得られた４時間後の放出ＥＧＣＧ濃度及び放出率を、下記表１１に併せて示す。また、各種濃度におけるＥＧＣＧによるレンズの着色性及びレンズのサイズ変化についても、確認した。【００８９】
−実施例３９−
ＨＥＭＡ系イオン性高含水ソフトコンタクトレンズに代えて、ＤＭＡＡ（Ｎ，Ｎ−ジメチルアクリルアミド）系の非イオン性高含水ソフトコンタクトレンズ（含水率：７２％）を用いる以外は、実施例３８と同様にして、放出されるＥＧＣＧ量を、経時的に測定した。そして、得られた４時間後の放出ＥＧＣＧ濃度及び放出率を、下記表１１に併せて示す。また、各種濃度におけるＥＧＣＧによるレンズの着色性及びレンズのサイズ変化についても、確認した。【００９０】
−実施例４０−
ＨＥＭＡ系イオン性高含水ソフトコンタクトレンズに代えて、シリコン成分を有するシリコンハイドロゲルソフトコンタクトレンズ（含水率：２４％）を用いる以外は、実施例３８と同様にして、放出されるＥＧＣＧ量を、経時的に測定した。そして、得られた４時間後の放出ＥＧＣＧ濃度及び放出率を、下記表１１に併せて示す。また、各種濃度におけるＥＧＣＧによるレンズの着色性及びレンズのサイズ変化についても、確認した。【００９１】
【表１１】
2007125731.tif 000012
【００９２】
上記表１１の結果から明らかな如く、何れのソフトコンタクトレンズにあっても、ポリフェノールが有効に保持され、そして経時的に漸次放出されるものであることが認められたが、その中でも、特に、イオン性ソフトコンタクトレンズは、非イオン性ソフトコンタクトレンズに比べて、４時間後の放出ポリフェノール濃度（放出率）が高く、ポリフェノールの徐放が、より長い時間に亘って行われることが分かった。また、ポリフェノールとしては、エピガロカテキンガレート（ＥＧＣＧ）を用いた場合に、有利に、長時間に亘る徐放が行われることが分かった。【００９３】
また、ポリフェノールによるレンズの着色性については、ＨＥＭＡ系イオン性高含水ソフトコンタクトレンズにおいては、ポリフェノール濃度が０．５％以上で黄緑色に呈色するが、透明性は高いことが認められた。一方、ＤＭＡＡ系非イオン性高含水ソフトコンタクトレンズにおいては、ポリフェノール濃度が０．５％以上で茶褐色（暗色）に呈色することが認められた。【００９４】
さらに、ポリフェノールによるレンズのサイズ変化については、ＨＥＭＡ系イオン性高含水ソフトコンタクトレンズにおいては、高いポリフェノール濃度においても、レンズのサイズ変化は認められなかった。一方、ＤＭＡＡ系非イオン性高含水ソフトコンタクトレンズにおいては、ポリフェノール濃度が０．１％以上でレンズサイズが小さくなり、ポリフェノール濃度が０．５％以上では約２割程度のレンズサイズの縮小が認められた。
【国際調査報告】
2007125731.tif 000013
2007125731.tif 000014
2007125731.tif 000015